(57)【要約】【課題】  本発明はネットワークを使用した入会手続きシステムに関し、特に入会者が特定でき、入会者がどの地域から何人入会したか容易に把握できる表示コードを利用した入会手続きシステムを提供するものである。【解決手段】  本発明は、表示端末装置２−１、２−２、２−３、・・・毎に異なる識別コードを使用し、更に携帯端末３による登録毎に新たな識別コードを表示端末装置２−１、２−２、２−３、・・・に供給し、会員登録を行う構成であり、入会に使用した表示端末装置２−１、２−２、２−３、・・・を会員登録サーバ１が知ることができ、会員登録データの有効利用を図ることができる。【選択図】  図１
2007299242.tif 000002
【特許請求の範囲】
【請求項１】
会員登録サーバと表示端末装置がネットワークを介して接続された入会手続きシステムであって、
前記会員登録サーバのＵＲＬと、前記表示端末装置の識別コードと、乱数情報を含む表示コードを送信する第１の送信手段と、
該第１の送信手段によって送信された表示コードを表示する表示手段と、
該表示手段に表示された表示コードを読み取り、解読処理を行い、取得したＵＲＬに自己の携帯端末の識別コードと前記表示端末装置の識別コード、及び前記乱数情報を送信する第２の送信手段と、
該第２の送信手段から送信された情報の有効性を判断する判断手段と、
該判断手段により前記情報の有効性が判断されると、会員リスト記憶手段に会員登録を行う登録手段と、
を有することを特徴とする入会手続きシステム。
【請求項２】
前記判断手段は、前記会員登録サーバに予め記憶した表示端末装置の識別コードと乱数情報を比較して前記有効性の判断を行うことを特徴とする請求項１記載の入会手続きシステム。
【請求項３】
前記会員リスト記憶手段への登録処理が行われると、前記携帯端末に対して登録のメッセージを送信することを特徴とする請求項１、又は２記載の入会手続きシステム。
【請求項４】
前記会員リスト記憶手段への登録処理が行われない場合、前記携帯端末に対して無効返信メッセージを送信することを特徴とする請求項１、２、又は３記載の入会手続きシステム。
【請求項５】
前記会員リスト記憶手段には、少なくとも前記携帯端末の識別コード、表示端末装置の識別コード、及び前記乱数情報が登録されることを特徴とする請求項１、２、３、又は４記載の入会手続きシステム。
【請求項６】
表示端末装置がネットワークを介して接続された会員登録サーバであって、
該会員登録サーバのＵＲＬと、前記表示端末装置の識別コードと、乱数情報を含む表示コードを前記表示端末装置に送信する送信手段と、
前記表示端末装置に表示された表示コードを読み取り、解読処理を行い、取得したＵＲＬに対し、携帯端末から自己の携帯端末の識別コードと前記表示端末装置の識別コード、及び前記乱数情報の送信を受信する受信手段と、
該受信手段によって受信した前記情報の有効性を判断する判断手段と、
該判断手段により前記情報の有効性が判断されると、会員リスト記憶手段に会員登録を行う登録手段と、
を有することを特徴とする会員登録サーバ。
【請求項７】
前記判断手段は、前記会員登録サーバに予め記憶した表示端末装置の識別コードと乱数情報を比較して前記有効性の判断を行うことを特徴とする請求項６記載の会員登録サーバ。
【請求項８】
前記会員リスト記憶手段への登録処理が行われると、前記携帯端末に対して登録のメッセージを送信することを特徴とする請求項６、又は７記載の会員登録サーバ。
【請求項９】
前記会員リスト記憶手段への登録処理が行われない場合、前記携帯端末に対して無効返信メッセージを送信することを特徴とする請求項６、７、又は８記載の会員登録サーバ。
【請求項１０】
前記会員リスト記憶手段には、少なくとも前記携帯端末の識別コード、表示端末装置の識別コード、及び前記乱数情報が登録されることを特徴とする請求項６、７、８、又は９記載の会員登録サーバ。
【請求項１１】
表示端末装置がネットワークを介して接続された会員登録方法であって、
会員登録サーバのＵＲＬと、前記表示端末装置の識別コードと、乱数情報を含む表示コードを前記表示端末装置に送信する送信処理と、
前記表示端末装置に表示された表示コードを読み取り、解読処理を行い、取得したＵＲＬに対し、携帯端末から自己の携帯端末の識別コードと前記表示端末装置の識別コード、及び前記乱数情報の送信を受信する受信処理と、
該受信処理によって受信した前記情報の有効性を判断する判断処理と、
該判断処理により前記情報の有効性が判断されると、会員リスト記憶手段に会員登録を行う登録処理と、
を行うことを特徴とする会員登録方法。
【請求項１２】
表示端末装置がネットワークを介して接続された会員登録サーバが使用するプログラムであって、
該会員登録サーバのＵＲＬと、前記表示端末装置の識別コードと、乱数情報を含む表示コードを前記表示端末装置に送信する機能と、
前記表示端末装置に表示された表示コードを読み取り、解読処理を行い、取得したＵＲＬに対し、携帯端末から自己の携帯端末の識別コードと前記表示端末装置の識別コード、及び前記乱数情報の送信を受信する機能と、
該受信機能によって受信した前記情報の有効性を判断する機能と、
該判断機能により前記情報の有効性が判断されると、会員リスト記憶手段に会員登録を行う機能と、
を少なくとも有するプログラムであり、コンピュータが実行可能なプログラム。
【発明の詳細な説明】
【技術分野】
【０００１】
本発明は、ネットワークを使用した入会手続きシステムに関する。
【背景技術】
【０００２】
今日、携帯電話等の携帯端末により二次元バーコードを撮影し、該二次元バーコードに含まれるＵＲＬ(uniform resource locator)を検出してサーバに接続するシステムが利用されている。例えば、特許文献１は携帯電話から、より多くの不特定多数の人がインターネットのホームページにアクセスすることを期待して、例えばパチンコ店等の景品又はその包装紙に二次元バーコード を添付、又は印刷し、それを携帯電話のバーコードリーダで読み込ませるシステムが開示されている。
【０００３】
また、上記システムを各種コンテンツへの入会方法に利用するシステムも提案されている。この場合、二次元バーコードを印刷したパンフレットを配布し、これを見たユーザが二次元バーコードを撮影し、ＵＲＬを取得して入会サーバにアクセスし、入会手続きを行う場合である。
【０００４】
【特許文献１】特開２００５−３３２３５３号公報
【発明の開示】
【発明が解決しようとする課題】
【０００５】
しかしながら、従来の入会手続きシステムにおいては、印刷されたパンフレット等の印刷物が広く配布されるため、入会者がどの地域から何人入会したか分からない。例えば、印刷された二次元バーコードを店頭に貼り付け、ユーザがそれを取り込み入会手続きを行った場合には入会者を特定することができない。
【０００６】
そこで、本発明は入会者が特定でき、入会者がどの地域から何人入会したか容易に分かる表示コードを利用した入会手続きシステムを提供するものである。
【課題を解決するための手段】
【０００７】
本発明は上記課題を解決するため、会員登録サーバと表示端末装置がネットワークを介して接続された入会手続きシステムであって、前記会員登録サーバのＵＲＬと、前記表示端末装置の識別コードと、乱数情報を含む表示コードを送信する第１の送信手段と、該第１の送信手段によって送信された表示コードを表示する表示手段と、該表示手段に表示された表示コードを読み取り、解読処理を行い、取得したＵＲＬに自己の携帯端末の識別コードと前記表示端末装置の識別コード、及び前記乱数情報を送信する第２の送信手段と、該第２の送信手段から送信された情報の有効性を判断する判断手段と、該判断手段により前記情報の有効性が判断されると、会員リスト記憶手段に会員登録を行う登録手段とを有する入会手続きシステムを提供することによって達成できる。
【０００８】
また、前記判断手段は、例えば前記会員登録サーバに予め記憶した表示端末装置の識別コードと乱数情報を比較して前記有効性の判断を行う構成である。
【０００９】
また、例えば前記会員リスト記憶手段への登録処理が行われると、前記携帯端末に対して登録のメッセージを送信する構成である。
【００１０】
また、例えば前記会員リスト記憶手段への登録処理が行われない場合、前記携帯端末に対して無効返信メッセージを送信する構成である。
【００１１】
さらに、前記会員リスト記憶手段には、少なくとも前記携帯端末の識別コード、表示端末装置の識別コード、及び前記乱数情報が登録される構成である。
【発明の効果】
【００１２】
本発明によれば、入会に使用した表示端末装置を会員登録サーバが知ることができ、例えばマーケティングデータを取得でき、以後統計処理等によりユーザの動向や顧客管理等に有効利用することができる。
【００１３】
また、表示端末装置側でも入会の事実を確認でき、正確な顧客情報を得ることができる。すなわち、表示コードを使用して入会した人、携帯端末を所持している人だけでなく、表示端末装置を設置している店においても入会の事実を知ることができる。
【発明を実施するための最良の形態】
【００１４】
以下では、図面を参照しながら、本発明の実施形態について説明する。
【００１５】
図１は、本発明の表示コードを利用した入会手続きシステムのシステム構成図である。同図において、本システムは会員登録サーバ１とインターネット等の通信網を介して接続される複数の表示端末装置２、及び上記会員登録サーバ１と携帯電話網で接続さたれ携帯電話機等の携帯端末３で構成されている。
【００１６】
会員登録サーバ１は登録制御装置４及び会員リスト記憶装置５を内蔵し、登録制御装置４は前述の複数の表示端末装置２と通信網を介して接続されている。また、会員登録サーバ１は不図示のＣＰＵ、ＲＯＭ、ＲＡＭを含み、ＲＯＭに記憶されたプログラムに従ってＣＰＵを制御する。
【００１７】
また、会員リスト記憶装置５には後述する処理によって会員のデータベースが構築される。図２は会員リスト記憶装置５に構築される会員リストのデータ構造を示す。同図に示すように、会員リスト記憶装置５は携帯端末３の識別番号ＩＤ（後述する〔ＴＩ〕）を登録するエリアと、表示端末装置２の識別番号ＩＤ（後述する〔ＤＩ〕）を登録するエリアと、乱数情報（（後述する乱数情報〔ＲＡ〕）を登録するエリアで構成され、更にその他の情報、例えば対応するユーザのメールアドレス等を登録するエリアで構成されている。上記各エリアには後述する処理に従って順次会員登録が行われる。
【００１８】
一方、表示端末装置２は、例えばパーソナルコンピュータ（ＰＣ）であり、複数の表示端末装置２−１、２−２、２−３、・・・が通信網を介して接続されている。尚、各々の表示端末装置２−１、２−２、２−３、・・・は、アプリケーションプログラムに従って印刷データや表示データを作成し、又は会員登録サーバ１から送信されたＱＲコードを表示するディスプレイ６を有する。
【００１９】
図３は前述の登録制御装置４の具体的な構成を説明する図である。同図に示すように、登録制御装置４は受信部１０、コード制御部１１、新表示コード生成部１２、有効表示コード記憶部１３、リスト制御部１４、返信制御部１５、送信部１６で構成され、リスト制御部１４に前述の会員リスト記憶部５が接続されている。
【００２０】
次に、上記構成の入会手続きシステムにおいて、以下にその処理を説明する。
【００２１】
先ず、ユーザは表示端末装置２を操作し、会員登録サーバ１にアクセスする。尚、会員登録サーバ１としては、例えば携帯電話への着メロ配信や、音楽や旅行情報、        医療情報、スポーツ又は文化活動等の各種分野において行われている会員登録のためのサーバが対応する。次に、会員登録サーバ１は、アクセスがあった表示端末装置２に対し、ＱＲコード(Quick Response Code)を含む会員登録サーバ１の情報を送信する。このＱＲコードは会員登録のためのコードであり、送信する表示端末装置２−１、２−２、２−３、・・・によって異なるコードである。尚、この表示端末装置２−１、２−２、２−３、・・・は、例えばコンビニエンスストアや、街角、量販店等に設置された少なくともディスプレイ６を備える端末装置である。
【００２２】
会員登録サーバ１からＱＲコードを含む情報を受信した表示端末装置２は、他の必要な情報と共にディスプレイ６にＱＲコードを表示する。ディスプレイ６には会員登録に必要な手続き等も表示され、この表示に従ってユーザは所有する携帯端末３の撮像機能を利用してＱＲコードを撮影する。
【００２３】
このＱＲコードは、会員登録サーバ１のＵＲＬ（以下、〔ＵＲＬ〕で示す）、表示端末装置２の識別番号ＩＤ（以下、〔ＤＩ〕で示す）、及び乱数（以下、〔ＲＡ〕で示す）の情報を含むコードであり、〔ＵＲＬ〕＋〔ＤＩ〕+〔ＲＡ〕で表すことができる。尚、上記ＱＲコードに含まれる〔ＤＩ〕及び〔ＲＡ〕と同じ情報は、後述する判断処理のため会員登録サーバ１内の有効表示コード記憶部１３にも記憶されている。
【００２４】
携帯端末３は撮像したＱＲコードを解析し、ＵＲＬを取得する。また、携帯端末３の識別番号ＩＤ（以下、〔ＴＩ〕で示す）と、前述の〔ＤＩ〕及び〔ＲＡ〕を結合した〔ＴＩ〕＋〔ＤＩ〕+〔ＲＡ〕を生成する。そして、この情報を取得したＵＲＬに転送する。
【００２５】
上記情報が表示端末装置２から送信された会員登録サーバ１では、以後図４に示すフローチャートに従って処理を行う。先ず、表示端末装置２から表示コードを受信すると（ステップ（以下、Ｓで示す）１）、表示コードの有効性を判断する（Ｓ２）。すなわち、前述の受信部１０は表示コードが入力すると、当該表示コードをコード制御部１１に送り、有効性の判断を行う。有効表示コード記憶部１３には前述のように表示端末装置２に送信した〔ＤＩ〕と〔ＲＡ〕の情報が記憶されており、表示端末装置２から転送された〔ＤＩ〕と〔ＲＡ〕との比較処理を行う。そして、両データが一致していれば、転送された〔ＤＩ〕と〔ＲＡ〕は有効であると判断し、不一致であれば、転送された情報は無効であると判断する。
【００２６】
ここで、受信した情報が無効であれば（Ｓ２がＮo）、表示コードに含まれる〔ＴＩ〕と〔ＤＩ〕をリスト制御部１４に転送し、リスト制御部１４は登録処理を行うことなく、返信制御部１５に無効返信メッセージ（無効返信１）を作成させる。そして、当該無効返信メッセージを携帯端末３（〔ＴＩ〕）に返送する（Ｓ３）。
【００２７】
一方、表示コードが有効であれば（Ｓ２がＹes）、新表示コード生成部１２に新表示コードの生成を行わせ（Ｓ４）、〔ＤＩ〕と〔ＴＩ〕の情報をリスト制御部１４に転送し、会員リスト記憶装置５に会員登録が行われているか判断する（Ｓ５）。この場合、リスト制御部１４は前述の会員リスト記憶装置５に登録されたデータベースを検索し、対応する携帯端末３（〔ＴＩ〕）に対する登録が既に行われているか判断する。
【００２８】
ここで、未だ会員リスト記憶装置５に登録されていない場合（Ｓ５がＮo）、携帯端末３の〔ＴＩ〕と〔ＤＩ〕及び〔ＲＡ〕の登録を行う（Ｓ６）。例えば、前述の図２に示すデータベースの各エリアに対応するデータを登録する。尚、図２に示す例では、例えば〔ＴＩ〕のエリアに携帯端末３の識別ＩＤである“○○○”が登録され、〔ＤＩ〕のエリアに表示端末装置２の識別ＩＤである“０００３”が登録され、〔ＲＡ〕のエリアに乱数情報である“ＸＹＺ・・・”が登録され、更にその他のエリアにメールアドレス“abc@de.・・・”の情報が登録される。
【００２９】
次に、リスト制御部１４は返信制御部１５に〔ＴＩ〕を転送し、会員登録が行われた旨のメッセージを作成させ、送信部１６によって対応する携帯端末３に上記返信メッセージを送信する（Ｓ７）。
【００３０】
一方、上記会員リスト記憶装置５を検索した結果、既に会員リスト記憶装置５に同じ〔ＴＩ〕による会員登録が行われている場合（Ｓ５がＹes）、二重登録を回避するため返信制御部１５によって無効返信メッセージ（無効返信２）を作成し、送信部１６から無効である旨の送信を行う（Ｓ８）。
【００３１】
尚、会員リスト記憶装置５に会員登録が行われ、携帯端末３に会員登録の通知が行われた場合、コード制御部１１は新たな〔ＤＩ〕newを生成し、新たな乱数〔ＲＡ〕newと共に新表示コード生成部１２に送る。新表示コード生成部１２は上記〔ＤＩ〕newと乱数〔ＲＡ〕newを有効表示コード記憶部１３に記憶させる。また、新表示コード生成部１２は上記〔ＤＩ〕new＋〔ＲＡ〕newに基づいてＱＲコードを生成し、送信部１６から表示端末装置２に送信する。
【００３２】
表示端末装置２は上記新たなＱＲコードを受信すると、ディスプレイ６にそれまで表示していたＱＲコードを一旦消去するか、又は表示色を変えて新たなＱＲコードを表示する。この処理により、表示端末装置２の管理者は、新たなＱＲコードが転送されたことを知る。このように構成することにより、コードを使用して入会した人、即ち携帯端末３を所持している人だけでなく、表示端末装置２を設置している店においても入会の事実を知ることができる。
【００３３】
また、上記新たなＱＲコードを撮影し、上記と同様の処理を繰り返すことによって、前述の会員リスト記憶装置５には順次会員登録が行われる。例えば、図２に示すように、次の〔ＴＩ〕のエリアに携帯端末３の識別ＩＤ“△△△”が登録され、〔ＤＩ〕のエリアに表示端末装置２の識別ＩＤ“００１４”が登録され、〔ＲＡ〕のエリアに乱数情報“ＡＢＣ・・・”が登録され、更にその他のエリアにメールアドレス“fgh@ij.・・・”が登録される。
【００３４】
以上のように、本発明によれば入会に使用した表示端末装置２−１、２−２、２−３、・・・を会員登録サーバ１が知ることができ、例えばマーケティングデータを取得でき、以後統計処理等によりユーザの動向や顧客管理を有効に実行することができる。
【００３５】
また、表示端末装置２側でも入会の事実を確認でき、正確な顧客情報を得ることができる。
【００３６】
尚、本例の説明では、ＱＲコードを使用したが、ＱＲコードに限らず透かし情報等、携帯端末３が読み取れる情報であれば適用することができる。
【００３７】
また、表示端末装置２に印刷機能が付加されていれば、ＱＲコードを印刷し、携帯端末３に読み取らせる構成としてもよい。この場合、ＱＲコードと共に、例えばＲＦタグ（radio frequency tag）を紙に埋め込み、印刷したＱＲコードと対応させることによってより多くの情報を使用した入会手続きシステムとすることができる。
【００３８】
さらに、携帯端末３は携帯電話機に限らず、例えば通信機能付の電子手帳やＰＤＡ(personal digital assistant)等の情報端末機器を使用する構成としてもよい。
【図面の簡単な説明】
【００３９】
【図１】本発明の表示コードを利用した入会手続きシステムのシステム構成図である。
【図２】会員リスト記憶装置の構成例を示すデータ構造である。
【図３】会員登録サーバの具体的な構成を示すブロック図である。
【図４】本例の処理を説明するフローチャートである。
【符号の説明】
【００４０】
１・・・会員登録サーバ
２・・・表示端末装置
３・・・携帯端末
４・・・登録制御装置
５・・・会員リスト記憶装置
６・・・ディスプレイ
１０・・受信部
１１・・コード制御部
１２・・新表示コード生成部
１３・・有効表示コード記憶部
１４・・リスト制御部
１５・・返信制御部
１６・・送信部
【図１】
2007299242.tif 000003
【図２】
2007299242.tif 000004
【図３】
2007299242.tif 000005
【図４】
2007299242.tif 000006